(57)【要約】【課題】本発明では、ハブとハブ孔の内周面との間の隙間から侵入してくる塵埃がディスク状記録媒体に付着するのを抑制することができる記録ディスクカートリッジを提供することを目的とする。【解決手段】記録ディスクカートリッジ１は、カートリッジケース内に収容されるフレキシブルディスク３１と、フレキシブルディスク３１の中心部を支持するハブ３２と、ハブ３２を外部に臨ませるために下シェル１２に形成されるハブ孔１２３とを備えている。そして、フレキシブルディスク３１の下面には、ハブ３２とハブ孔１２３の内周面１２３ａとの間の隙間から侵入してくる塵埃を捕捉するディスク側ライナ３４が、前記隙間に臨むように設けられている。【選択図】図７
2007164876.tif 000002
【特許請求の範囲】
【請求項１】
ケース内に収容されるディスク状記録媒体と、
前記ディスク状記録媒体の中心部を支持するハブと、
前記ハブを外部に臨ませるために前記ケースに形成されるハブ孔とを備える記録ディスクカートリッジであって、
前記ディスク状記録媒体の前記ハブ孔側に、前記ハブと前記ハブ孔の内周面との間の隙間から侵入してくる塵埃を捕捉する捕捉手段を、前記隙間に臨むように設けたことを特徴とする記録ディスクカートリッジ。
【請求項２】
前記捕捉手段は、不織布であることを特徴とする請求項１に記載の記録ディスクカートリッジ。
【請求項３】
前記ディスク状記録媒体を収容しつつ前記ケース内で回動することで、前記ケースに形成されるアクセス用開口部を開閉する中空円柱状のロータリシャッタを備え、
前記ロータリシャッタの底壁には、その中心部に前記ハブを外部に臨ませるシャッタ側ハブ孔が形成されると共に、その上面に前記シャッタ側ハブ孔の内周面から所定距離離れた位置に不織布が設けられ、
前記ディスク状記録媒体に設けられる前記不織布と、前記ロータリシャッタの底壁と、前記ロータリシャッタに設けられる前記不織布とによって、屈曲した通路が形成されることを特徴とする請求項２に記載の記録ディスクカートリッジ。
【請求項４】
前記捕捉手段は、粘着材であることを特徴とする請求項１に記載の記録ディスクカートリッジ。
【請求項５】
前記粘着材は、前記ハブの外周部から径方向外側へ突出するように設けられるリング状の粘着材保持部材の前記ハブ孔側に設けられ、
前記粘着材保持部材には、その先端部が前記粘着材の表面よりも前記ハブ孔側に位置するように延出する延出部が設けられていることを特徴とする請求項４に記載の記録ディスクカートリッジ。
【請求項６】
ケース内に収容されるディスク状記録媒体と、
前記ディスク状記録媒体の中心部を支持するハブと、
前記ハブを外部に臨ませるために前記ケースに形成されるハブ孔とを備える記録ディスクカートリッジであって、
前記ハブは、
前記ハブ孔に挿通する本体部と、
前記本体部のうちの前記ケース内に位置する部分から前記ハブ孔の内周面よりも外側へ延在する第１延在部と、
前記本体部のうちの前記ケース外に位置する部分から前記ハブ孔の内周面よりも外側へ延在する第２延在部とを備えることを特徴とする記録ディスクカートリッジ。
【請求項７】
前記ハブ孔は、前記ケース内に向かって窪んだ凹部の底壁に形成され、
前記第２延在部の少なくとも一部が前記凹部内に収容されることを特徴とする請求項６に記載の記録ディスクカートリッジ。
【請求項８】
前記第１延在部または前記第２延在部は、
前記ハブの軸方向外側に向かって先細りとなるテーパ部を有し、このテーパ部の最小径となる部分が前記ハブ孔の径よりも小さく形成されることで前記ハブ孔に対して嵌合可能な構造となっていることを特徴とする請求項６または請求項７に記載の記録ディスクカートリッジ。
【請求項９】
前記第１延在部、前記第２延在部のうちの少なくとも一方が、別体となっていることを特徴とする請求項６または請求項７に記載の記録ディスクカートリッジ。
【発明の詳細な説明】
【技術分野】
【０００１】
本発明は、ケース内に収容されるディスク状記録媒体と、ディスク状記録媒体の中心部を支持するハブと、このハブを外部に臨ませるためにケースに形成されるハブ孔とを備える記録ディスクカートリッジに関する。
【背景技術】
【０００２】
従来、ポリエステルシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
特許文献１に記載の記録ディスクカートリッジ８００は、図１２（ａ）に示すように、カートリッジケース８１０と、このカートリッジケース８１０の内部に回動可能に配置されたロータリシャッタ８２０と、このロータリシャッタ８２０の内部に回転自在に配置された記録ディスクメディア８３０と、を主に備えている。このような記録ディスクカートリッジ８００では、図１２（ｂ）に示すように、記録ディスクメディア８３０が、略円盤状のフレキシブルディスク（ディスク状記録媒体）８３１と、このフレキシブルディスク８３１の中央部を支持するハブ８４０とで構成され、このハブ８４０がカートリッジケース８１０の下壁に形成されたハブ孔８１１から外部に露出するようになっている。そして、このようにハブ孔８１１から外部に露出するハブ８４０が図示せぬドライブ装置のスピンドルに磁気的に吸着されることで、記録ディスクメディア８３０がハブ８４０を介してスピンドルと一体的に回転するようになっている。
【特許文献１】米国特許第６２５６１６８号明細書
【発明の開示】
【発明が解決しようとする課題】
【０００４】
しかしながら、前記した記録ディスクカートリッジ８００では、ドライブ装置のスピンドルと一体に回転するハブ８４０がハブ孔８１１の内周面に摺接しないように、ハブ８４０とハブ孔８１１の内周面との間に所定の隙間が設けられているので、この隙間からケース内に塵埃が侵入してしまうおそれがあった。そして、このようにケース内に侵入した塵埃がフレキシブルディスク８３１に付着すると、データの記録・再生に支障をきたすという問題があった。
【０００５】
そこで、本発明では、ハブとハブ孔の内周面との間の隙間から侵入してくる塵埃がディスク状記録媒体に付着するのを抑制することができる記録ディスクカートリッジを提供することを目的とする。
【課題を解決するための手段】
【０００６】
前記課題を解決する本発明は、ケース内に収容されるディスク状記録媒体と、前記ディスク状記録媒体の中心部を支持するハブと、前記ハブを外部に臨ませるために前記ケースに形成されるハブ孔とを備える記録ディスクカートリッジであって、前記ディスク状記録媒体の前記ハブ孔側に、前記ハブと前記ハブ孔の内周面との間の隙間から侵入してくる塵埃を捕捉する捕捉手段を、前記隙間に臨むように設けたことを特徴とする。
【０００７】
本発明によれば、ハブとハブ孔の内周面との間の隙間から侵入してくる塵埃は、ディスク状記録媒体のハブ孔側に設けられた捕捉手段によって捕捉される。そのため、前記隙間から侵入してくる塵埃がディスク状記録媒体に付着するのを捕捉手段によって抑制することができる。
【０００８】
また、前記した捕捉手段として、不織布または粘着材を採用してもよい。
これによれば、不織布または粘着材によって良好に塵埃を捕捉できる。
【０００９】
さらに、前記した記録ディスクカートリッジが、前記ディスク状記録媒体を収容しつつ前記ケース内で回動することで、前記ケースに形成されるアクセス用開口部を開閉する中空円柱状のロータリシャッタを備えると共に、捕捉手段として前記不織布を採用する場合においては、前記ロータリシャッタの底壁の中心部に前記ハブを外部に臨ませるシャッタ側ハブ孔を形成すると共に、その上面に前記シャッタ側ハブ孔の内周面から所定距離離れた位置に不織布を設け、前記ディスク状記録媒体に設けられる前記不織布と、前記ロータリシャッタの底壁と、前記ロータリシャッタに設けられる前記不織布とによって、屈曲した通路を形成するようにしてもよい。
【００１０】
これによれば、不織布で塵埃を捕捉する効果に加え、屈曲した通路によってラビリンス構造が構築されるので、塵埃がディスク状記録媒体まで到達し難くなり、よりディスク状記録媒体への塵埃の付着が抑制されることとなる。
【００１１】
また、捕捉手段として前記粘着材を採用する場合においては、前記粘着材を、前記ハブの外周部から径方向外側へ突出するように設けられるリング状の粘着材保持部材の前記ハブ孔側に設け、前記粘着材保持部材に、その先端部が前記粘着材の表面よりも前記ハブ孔側に位置するように延出する延出部を設けるようにしてもよい。
【００１２】
これによれば、ディスク状記録媒体のハブ孔側に近接する壁（例えばロータリシャッタの底壁やケースの底壁など）に対して、粘着材保持部材の先端部が当接するので、前記壁に粘着材が付着するのを防止することができる。
【００１３】
さらに、本発明は、ケース内に収容されるディスク状記録媒体と、前記ディスク状記録媒体の中心部を支持するハブと、前記ハブを外部に臨ませるために前記ケースに形成されるハブ孔とを備える記録ディスクカートリッジであって、前記ハブは、前記ハブ孔に挿通する本体部と、前記本体部のうちの前記ケース内に位置する部分から前記ハブ孔の内周面よりも外側へ延在する第１延在部と、前記本体部のうちの前記ケース外に位置する部分から前記ハブ孔の内周面よりも外側へ延在する第２延在部とを備えるものであってもよい。
【００１４】
これによれば、第１延在部と第２延在部とがケースのハブ孔周りの部分に重なり合うようになるので、これらによって複数回屈曲する通路（ラビリンス構造）が構築される。したがって、このラビリンス構造によって、塵埃のケース内への侵入が抑制され、ディスク状記録媒体への塵埃の付着が抑制されることとなる。
【００１５】
また、前記したようにハブが第１延在部や第２延在部を有する場合においては、前記ハブ孔が、前記ケース内に向かって窪んだ凹部の底壁に形成され、前記第２延在部の少なくとも一部が前記凹部内に収容されるように構成してもよい。
これによれば、ケース外に位置する第２延在部が凹部内に収容されるので、記録ディスクカートリッジ全体を薄く形成することができる。
【００１６】
さらに、前記したようにハブが第１延在部や第２延在部を有する場合においては、前記第１延在部または前記第２延在部が、前記ハブの軸方向外側に向かって先細りとなるテーパ部を有し、このテーパ部の最小径となる部分が前記ハブ孔の径よりも小さく形成されることで前記ハブ孔に対して嵌合可能な構造となっていてもよい。
これによれば、例えば第１延在部がテーパ部を有する場合には、この第１延在部をハブ孔に対して押し込んでいくと、そのテーパ部によってハブ孔が押し広げられるので、簡単にハブをハブ孔に嵌め込むことができる。
【００１７】
また、前記したようにハブが第１延在部や第２延在部を有する場合においては、前記第１延在部、前記第２延在部のうちの少なくとも一方が、別体となっていてもよい。
これによれば、例えば第１延在部が別体である場合には、ハブの本体部をハブ孔に差し込んだ後、その本体部に別体の第１延在部を取り付けるだけで、簡単にハブをハブ孔に取り付けることができる。
【発明の効果】
【００１８】
本発明によれば、ハブとハブ孔の内周面との間の隙間から侵入してくる塵埃が、ディスク状記録媒体のハブ孔側に設けられた捕捉手段によって捕捉されるので、前記隙間から侵入してくる塵埃がディスク状記録媒体に付着するのを抑制することができる。
【発明を実施するための最良の形態】
【００１９】
〔第１の実施形態〕
本発明に係る記録ディスクカートリッジの第１の実施形態について図面を参照して詳細に説明する。参照する図面において、図１は、第１の実施形態に係る記録ディスクカートリッジを示す斜視図であり、（ａ）は前方斜め上方からみた図、（ｂ）は後方斜め下方からみた図をそれぞれ示している。図２は、第１の実施形態に係る記録ディスクカートリッジの分解斜視図である。図３は、第１の実施形態に係るロータリシャッタを示す斜視図であり、（ａ）は前方斜め上方からみた図、（ｂ）は後方斜め下方からみた図である。図４は、第１の実施形態に係る記録ディスクカートリッジを下方からみた平面図である。図５は、第１の実施形態に係る記録ディスクカートリッジをドライブ装置に挿入した状態を示す斜視図である。図６は、第１の実施形態に係る記録ディスクメディアの詳細を示す分解斜視図であり、図７は、第１の実施形態に係るハブ孔周りの構造を示す部分拡大断面図である。
なお、本実施形態において方向を説明する場合は、図１に示す前、後、右、左、上、下、を基準として説明する。
【００２０】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、を主に備えている。そして、このような記録ディスクカートリッジ１は、専用のドライブ装置Ｄ（図５参照）に、その前側から挿入されて使用される。
【００２１】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図５参照）。
【００２２】
また、カートリッジケース１０は、その内部に収容された記録ディスクメディア３０を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図５参照）の動作に干渉しない形状となっている。
【００２３】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００２４】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００２５】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００２６】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００２７】
さらに、上シェル１１は、その中央部に、ロータリシャッタ２０を回動可能に止め付けるセンタピン５０と係合する係合孔１１３を有している。
【００２８】
一方、下シェル１２は、その中央部に、記録ディスクメディア３０のハブ３２を外部に臨ませるハブ孔１２３を有している。そして、記録ディスクカートリッジ１がドライブ装置Ｄに装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４を有している。
【００２９】
［フレーム部材１３］
フレーム部材１３は、図２に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
【００３０】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている。
【００３１】
また、アーチ状フレーム１３１は、下向きに開口し、カートリッジケース１０の内部と外部を連通させる係合溝１３１ｅ（図４参照）を有している。この係合溝１３１ｅは、後記するロック片７０が係合する溝である。
【００３２】
Ｖノッチ部材１３３は、後記するように閉方向に付勢されるロータリシャッタ２０を閉位置で止めるストッパとしての役割と（図４参照）、ドライブ装置Ｄとの係合部としての役割とを備える部材であり、左端部１０ｄの前側に配置されている。
【００３３】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００３４】
＜ロータリシャッタ２０＞
ロータリシャッタ２０は、アクセス用開口部１０１（図１参照）を開閉するためのシャッタであり、中空構造の略円盤形状（中空円柱状）に形成されている。そして、ロータリシャッタ２０の中空部に、記録ディスクメディア３０が回転自在に収容されている（図３参照）。
【００３５】
ロータリシャッタ２０は、図２及び図３に示すように、記録ディスクメディア３０を外部に臨ませる切欠部２０１を有している。なお、切欠部２０１は、カートリッジケース１０のアクセス用開口部１０１と略同形状となっている（図５参照）。
そして、ロータリシャッタ２０は上シェル１１の中央部付近にセンタピン５０によって回動自在に固定されている。
【００３６】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図４、図５参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図５参照）。
【００３７】
また、ロータリシャッタ２０は、図示しない付勢手段（例えば渦巻きばね）によって、閉方向（図４、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図４、図５参照）。ちなみに、本発明において、前記付勢手段は必須の構成要素ではなく、ドライブ装置Ｄから記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００３８】
このようなロータリシャッタ２０は、図２及び図３に示すように、金属プレートからなる上シャッタ２１及び下シャッタ２２と、これらの間に介在した合成樹脂製のシャッタウォール２３と、を備えて構成されている。
【００３９】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００４０】
また、上シャッタ２１は、その中央部に、前記したセンタピン５０を挿通させるための挿通孔２１２を有している。
【００４１】
下シャッタ（底壁）２２は、その中心部に、記録ディスクメディア３０の後記するハブ３２を外部に臨ませるためのシャッタ側ハブ孔２２２を有している。
【００４２】
さらに、下シャッタ２２の下面には、ロータリシャッタ２０を回動させるためのシャッタノブ２４が取り付けられている（図３（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図５参照）。
【００４３】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタ２２の周縁から、その径方向外側に向かって徐々に離れるように延出した細長の金属片である。ロック片７０の先端部７１は、径方向内側に向かってやや屈曲している（図３、図４参照）。
【００４４】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図４参照）に係合し、ロータリシャッタ２０が回動しないようになっている。
【００４５】
また、ロック片７０の先端部７１は、係合溝１３１ｅを介して、記録ディスクカートリッジ１の右側方に臨んでいる。そして、記録ディスクカートリッジ１がドライブ装置Ｄ（図５参照）に挿入されると、ドライブ装置Ｄ内のロック解除ピン（図示省略）が、ロック片７０の先端部７１を径方向内側に押し（図４の矢印Ａ６参照）、ロック片７０と係合溝１３１ｅとの係合が解除され、ロータリシャッタ２０が回動可能となるように構成されている。
【００４６】
なお、前記した上シャッタ２１及び下シャッタ２２の内側（記録ディスクメディア３０側）、すなわち上シャッタ２１の下面及び下シャッタ２２の上面には、記録ディスクメディア３０をクリーニングすると共に、記録ディスクメディア３０を保護するライナ６０，６０が設けられている。そして、このライナ６０，６０は、例えば、不織布等から形成されている。特に、下シャッタ２２に設けられるライナ６０は、平面視略Ｃ字状に形成され、その内周面６０ａが、シャッタ側ハブ孔２２２の内周面２２２ａから径方向外側に向かって所定距離離れた位置に位置するように形成されている（図７参照）。
【００４７】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００４８】
＜記録ディスクメディア３０＞
記録ディスクメディア３０は、データを記録する記録媒体であり、本実施形態では、図６に示すように、フレキシブルディスク（ディスク状記録媒体）３１と、このフレキシブルディスク３１の中心部を支持するハブ３２と、を備えて構成されている。
【００４９】
フレキシブルディスク３１は、例えば、ポリエステルシート等からなる円盤状の支持体の両面に磁性層等の記録層を形成したものである。
ハブ３２は、フレキシブルディスク３１を支持する金属製の円筒状部材である。また、ハブ３２は、上面にフレキシブルディスク３１の取り付け部（図示省略）を備えると共に、下面にドライブ装置Ｄ（図５参照）のスピンドル（図示省略）にチャックされるチャック部３２１を備えている（図１（ｂ）参照）。そして、このハブ３２は、その上面と略同一の幅となるように形成されるリング状の両面粘着シート３３によって、フレキシブルディスク３１の下面の中心部に固定されるようになっている。
【００５０】
また、フレキシブルディスク３１に固定されたハブ３２の周囲には、前記したライナ６０と同じ材質（不織布）となるリング状のディスク側ライナ（捕捉手段）３４が接着剤により貼着されており、これにより、このディスク側ライナ３４が、図７に示すように、ハブ３２の外周テーパ面３２ａとハブ孔１２３の内周面１２３ａとの間の隙間に臨むように配置されている。また、このディスク側ライナ３４は、その外周面３４ａがシャッタ側ハブ孔２２２の内周面２２２ａよりも径方向外側であり、かつ、下シャッタ２２側のライナ６０の内周面６０ａよりも径方向内側の位置に位置するように形成されている。そのため、このディスク側ライナ３４の下面と、下シャッタ２２の上面と、下シャッタ２２側のライナ６０の内周面６０ａとによって、屈曲した通路（ラビリンス構造）が形成されるようになっている。
【００５１】
≪記録ディスクカートリッジの作用効果≫
次に、記録ディスクカートリッジ１の作用効果について説明する。まず、ロータリシャッタ２０の動作について図５を主に参照して説明した後、本発明の特徴となるディスク側ライナ３４の作用効果について説明する。
【００５２】
＜ロータリシャッタ２０の動作＞
ロータリシャッタ２０は、図５右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００５３】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図４、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図４、矢印Ａ２参照）。
【００５４】
そうすると、シャッタノブ２４が固定されたロータリシャッタ２０は、カートリッジケース１０内でセンタピン５０を軸として回動する（図４、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００５５】
そして、図５左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００５６】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする。
【００５７】
＜ディスク側ライナ３４の作用効果＞
次に、ディスク側ライナ３４の作用効果について、図７を主に参照して説明する。
図７に示すように、ハブ３２の外周テーパ面３２ａとハブ孔１２３の内周面１２３ａとの間の隙間から塵埃が侵入してくる際には、まず、ディスク側ライナ３４の下面（詳しくは、シャッタ側ハブ孔２２２の内周面２２２ａよりも径方向内側の部分）によって塵埃が捕捉される。また、捕捉されなかった塵埃は、ディスク側ライナ３４と下シャッタ２２との間を通り抜けようとするが、この間の隙間は非常に狭いため、その通り抜けようとする塵埃の大部分は、ディスク側ライナ３４の下面（詳しくは、シャッタ側ハブ孔２２２の内周面２２２ａよりも径方向外側の部分）で捕捉される。さらに、ディスク側ライナ３４と下シャッタ２２との間を通り抜けた塵埃は、下シャッタ２２側のライナ６０によって捕捉される。したがって、第１の実施形態によれば、ハブ３２の外周テーパ面３２ａとハブ孔１２３の内周面１２３ａとの間の隙間から侵入してくる塵埃が、フレキシブルディスク３１に付着するのを、各ライナ３４，６０やラビリンス構造によって効果的に抑制することができる。
【００５８】
〔第２の実施形態〕
以下に、本発明に係る記録ディスクカートリッジの第２の実施形態について説明する。この実施形態は第１の実施形態のハブ孔周りの構造を変更したものなので、その他の第１の実施形態と同様の構成要素については同一符号を付し、その説明を省略する。参照する図面において、図８は、第２の実施形態に係る記録ディスクメディアの詳細を示す分解斜視図であり、図９は、第２の実施形態に係るハブ孔周りの構造を示す部分拡大断面図である。
【００５９】
図８に示すように、第２の実施形態に係るハブ３２は、その上面の内側部分が、第１の実施形態よりも幅狭に形成されるリング状の両面粘着シート３３’によって、フレキシブルディスク３１の下面に貼着されている。そして、このハブ３２の上面の外側部分（詳しくは、ハブ３２とフレキシブルディスク３１との間；図９参照）には、塵埃を捕捉するための捕捉器具（捕捉手段）３５が設けられている。
【００６０】
捕捉器具３５は、リング状の粘着シート保持具（粘着材保持部材）３６と、この粘着シート保持具３６に貼着されるリング状の両面粘着シート（粘着材）３７とを備えて構成されている。
粘着シート保持具３６は、図９に示すように、その内側部分が平面視においてハブ３２の上面の外側部分と重なるように形成されると共に、その外側部分がハブ３２の上面の外周縁から径方向外側へ突出するように形成されている。そして、この粘着シート保持具３６の外周縁には、下方へ向かって延びるフランジ部（延出部）３６ａが形成され、このフランジ部３６ａは、その先端部が、その内側に配設される両面粘着シート３７の下面（表面）よりも下側に位置するような高さで形成されている。これにより、記録ディスクメディア３０全体が下方に下がった場合であっても、フランジ部３６ａによって、両面粘着シート３７が下シャッタ２２に付着するのを防止できるようになっている。
【００６１】
両面粘着シート３７は、その上面が粘着シート保持具３６の下面に貼着されると共に、その下面のうち内側部分がハブ３２の上面に貼着されている。そして、両面粘着シート３７の下面の外側部分は、ハブ３２の外周縁から径方向外側にはみ出すようになっており、これにより、この外側部分が塵埃の捕捉に寄与するようになっている。また、この両面粘着シート３７は、その外周面３７ａがシャッタ側ハブ孔２２２の内周面２２２ａよりも径方向外側であり、かつ、下シャッタ２２側のライナ６０の内周面６０ａよりも径方向内側の位置に位置するように形成されている。そのため、この両面粘着シート３７の下面と、下シャッタ２２の上面と、フランジ部３６ａと、下シャッタ２２側のライナ６０の内周面６０ａとによって、第１の実施形態よりも複雑なラビリンス構造が構築されるようになっている。
【００６２】
＜捕捉器具３５の作用効果＞
次に、捕捉器具３５の作用効果について、図９を主に参照して説明する。
図９に示すように、ハブ３２の外周テーパ面３２ａとハブ孔１２３の内周面１２３ａとの間の隙間から塵埃が侵入してくる際には、まず、捕捉器具３５の両面粘着シート３７の下面（詳しくは、シャッタ側ハブ孔２２２の内周面２２２ａよりも径方向内側の部分）によって塵埃が捕捉される。また、捕捉されなかった塵埃は、両面粘着シート３７と下シャッタ２２との間を通り抜けようとするが、この間の隙間は非常に狭いため、その通り抜けようとする塵埃の大部分は、両面粘着シート３７の下面（詳しくは、シャッタ側ハブ孔２２２の内周面２２２ａよりも径方向外側の部分）で捕捉される。さらに、両面粘着シート３７と下シャッタ２２との間を通り抜けた塵埃は、この間よりも狭い隙間（フランジ部３６ａの先端部と下シャッタ２２との間の隙間）を通った後、下シャッタ２２側のライナ６０によって捕捉される。したがって、第２の実施形態によれば、ハブ３２の外周テーパ面３２ａとハブ孔１２３の内周面１２３ａとの間の隙間から侵入してくる塵埃が、フレキシブルディスク３１に付着するのを両面粘着シート３７や複雑なラビリンス構造によって効果的に抑制することができる。
【００６３】
〔第３の実施形態〕
以下に、本発明に係る記録ディスクカートリッジの第３の実施形態について説明する。参照する図面において、図１０は、第３の実施形態に係るハブ孔周りの構造を示す部分拡大断面図である。なお、この実施形態では、前記したロータリシャッタ２０とは別のシャッタ構造を採用することにより、図２に示すようにアクセス用開口部１２１がハブ孔１２３近傍まで食い込むことでハブ孔１２３の周りの壁に幅狭となる部分が生じないような構造となっている。ちなみに、この別のシャッタ構造としては、例えば、フロッピー（登録商標）ディスクに採用されているスライドシャッタ構造などがある。
【００６４】
図１０に示すように、記録ディスクカートリッジ１’では、その下シェル８０の略中央部に上方（ケース内）に向かって窪んだ凹部８１が形成され、この凹部８１の底壁にハブ孔８２が形成されている。そして、このハブ孔８２には、第３の実施形態に係るハブ４０が嵌め込まれるようになっている。
【００６５】
ハブ４０は、合成樹脂で形成される本体部４１、第１延在部４２および第２延在部４３と、第２延在部４３の下面に固定される金属プレート４４とを備えて構成されている。ここで、金属プレート４４は、リング状の金属部材（磁性体）であり、図示せぬスピンドルによって磁気的に吸着されるようになっている。
【００６６】
本体部４１は、下シェル１２に形成されるハブ孔１２３に所定の隙間を介して挿通される円柱状の部分であり、その下面には、図示せぬスピンドルの回転軸を逃がすための凹部４１ａと、前記スピンドルの突起に噛み合うギヤ部４１ｂとが形成されている。
【００６７】
第１延在部４２は、本体部４１の上側の外周部分（ケース内に位置する部分）からハブ孔１２３の内周面１２３ａよりも径方向外側に延在しており、その上側の角部が斜めに面取りされることによって上側に向かって先細りとなるテーパ部４２ａが形成されるようになっている。そして、このテーパ部４２ａは、その最小径となる部分がハブ孔１２３の径よりも小さく形成されると共に、その最大径となる部分（第１延在部４２の外径）がハブ孔１２３の径よりも所定量だけ大きく形成されるようになっている。ここで、前記した所定量は、下シェル１２の下側から第１延在部４２をハブ孔１２３に嵌め込むときに、その嵌め込みが可能な程度の大きさであり、適宜、実験等により決定することができる。
【００６８】
第２延在部４３は、本体部４１の下側の外周部分（ケース外に位置する部分）からハブ孔１２３の内周面１２３ａよりも外側へ延在しており、その下面に面一となるように金属プレート４４がインサート成形により一体に固定されている。また、第２延在部４３の下側の角部は面取りされており、これにより、記録ディスクカートリッジ１がドライブ装置に挿入されたとき、図示しないスピンドルとの引っ掛かりが防止できるようになっている。
さらに、第２延在部４３の一部（上側部分）は、下シェル８０の凹部８１内に収容されるようになっており、これにより、記録ディスクカートリッジ１全体を薄く形成することが可能となっている。そして、このようにハブ孔８２よりも大径となる第２延在部４３の一部が凹部８１内に収容されることや、第１延在部４２がハブ孔８２よりも大径となるように形成されることにより、ハブ４０と下シェル８０との間で、複数回屈曲する通路（ラビリンス構造）が形成されるようになっている。
【００６９】
＜ハブ４０の作用効果＞
次に、ハブ４０の作用効果について説明する。
ハブ４０とハブ孔８２との間の隙間からケース内に侵入しようとする塵埃は、前記隙間に到達する前に、まず、ハブ４０の第２延在部４３と下シェル８０の凹部８１によって構築されるラビリンス構造によって捕捉される。また、仮にハブ４０とハブ孔８２との間の隙間に塵埃が到達できたとしても、今度は、ハブ４０の第１延在部４２と下シェル８０の凹部８１とによって形成される狭い通路で捕捉される。したがって、第３の実施形態によれば、ハブ４０とハブ孔８２との間の隙間からの塵埃の侵入を、複雑なラビリンス構造によって効果的に抑制することで、フレキシブルディスク３１への塵埃の付着を抑制することができる。
【００７０】
〔第４の実施形態〕
以下に、本発明に係る記録ディスクカートリッジの第４の実施形態について説明する。この実施形態は第３の実施形態のハブ構造を変更したものなので、その他の第３の実施形態と同様の構成要素については同一符号を付し、その説明を省略する。参照する図面において、図１１は、第４の実施形態に係るハブ孔周りの構造を示す部分拡大断面図である。
【００７１】
図１１に示すように、ハブ４０’は、合成樹脂で形成される本体部４５および第１延在部４６と、これら本体部４５および第１延在部４６とは別体となる金属製の第２延在部４７とを備えて構成されている。
【００７２】
本体部４５は、第３の実施形態に係る本体部４１と同形状となる凹部４１ａやギヤ部４１ｂを有する他、その上側の外周部分が前記本体部４１よりも肉厚に形成されることで、その下側に段部４５ｃが形成されている。
【００７３】
第１延在部４６は、第３の実施形態に係る第１延在部４２にテーパ部４２ａを形成する前の状態に相当する形状に形成されており、これにより、第３の実施形態よりもフレキシブルディスク３１を安定して支持することが可能となっている。
【００７４】
第２延在部４７は、第３の実施形態に係る金属プレート４４が一体に固着された第２延在部４３と略同様の外形形状となるリング状の金属部材であり、その内周面には、本体部４５の段部４５ｃに嵌め合わされる段部４７ａが形成されている。
【００７５】
＜ハブ４０’の作用効果＞
前記したように構成されるハブ４０’は、その外形形状が第３の実施形態に係るハブ４０と略同形状であるため、塵埃の抑制に関しては第３の実施形態と同様の作用効果を奏する。なお、第４の実施形態においては、第２延在部４７が別体となっていることから、第３の実施形態と比べ、下シェル８０に対して負荷をかけずにハブ４０’を組み付けることができるといった効果も奏する。
【００７６】
以上、本発明は、前記各実施形態に限定されることなく、様々な形態で実施される。
第１の実施形態では、ディスク側ライナ３４の外周面３４ａがシャッタ側ハブ孔２２２の内周面２２２ａよりも径方向外側となるようにディスク側ライナ３４を形成したが、本発明はこれに限定されず、例えばディスク側ライナ３４の外周面３４ａがシャッタ側ハブ孔２２２の内周面２２２ａよりも径方向内側となるようにディスク側ライナ３４を形成してもよい。この場合には、ラビリンス構造としての効果は小さくなるが、ディスク側ライナ３４がシャッタ側ハブ孔２２２（ハブ孔１２３）に臨むので、良好に塵埃を捕捉することができる。
【００７７】
第２の実施形態では、粘着材として、両面粘着シート３７を採用したが、本発明はこれに限定されず、例えばゲル状の接着剤であってもよい。
第２の実施形態では、両面粘着シート３７が下シャッタ２２に付着しないようにするために、延出部として粘着シート保持具３６の外周縁全体にわたって形成されるフランジ部３６ａを採用したが、本発明はこれに限定されず、例えば棒状の突起を延出部として採用してもよい。
【００７８】
第２の実施形態では、フランジ部３６ａを有する粘着シート保持具３６に両面粘着シート３７を貼着させたが、本発明はこれに限定されず、例えばフレキシブルディスク３１に両面粘着シート３７を直接貼着させてもよい。なお、この場合は、両面粘着シート３７と下シャッタ２２とが付着した際に、簡単に剥がれる程度の粘着性で両面粘着シート３７を形成するのが望ましい。
【００７９】
第３の実施形態では、第１延在部４２をハブ孔１２３に対して嵌め込むような構造としたが、本発明はこれに限定されず、第２延在部４３をハブ孔１２３に嵌め込むような構造としてもよい。なお、この場合は、ハブ孔１２３の径を第２延在部４３の径に合わせて大きくしなければならないので、塵埃を抑制する観点から考えると、第３の実施形態のように構成するのが望ましい。
【００８０】
第３の実施形態では、第２延在部４３の一部を凹部８１内に収容させたが、本発明はこれに限定されず、全部を凹部８１内に収容させてもよい。
第３の実施形態では、塵埃の通り道の出口（第１延在部４２と下シェル８０で形成される通路の出口）をそのままケース内に開放しているが、本発明はこれに限定されず、この出口に臨むようにライナ（不織布）や粘着材を設けるようにしてもよい。これによれば、フレキシブルディスク３１への塵埃の付着をさらに抑制することができる。
【００８１】
第４の実施形態では、第２延在部４７を別体としたが、本発明はこれに限定されず、第１延在部４６を別体としてもよいし、第１延在部４６と第２延在部４７の両方を別体としてもよい。
【図面の簡単な説明】
【００８２】
【図１】第１の実施形態に係る記録ディスクカートリッジを示す斜視図であり、（ａ）は前方斜め上方からみた図、（ｂ）は後方斜め下方からみた図である。
【図２】第１の実施形態に係る記録ディスクカートリッジの分解斜視図である。
【図３】第１の実施形態に係るロータリシャッタを示す斜視図であり、（ａ）は前方斜め上方からみた図、（ｂ）は後方斜め下方からみた図である。
【図４】第１の実施形態に係る記録ディスクカートリッジを下方からみた平面図である。
【図５】第１の実施形態に係る記録ディスクカートリッジをドライブ装置に挿入した状態を示す斜視図である。
【図６】第１の実施形態に係る記録ディスクメディアの詳細を示す分解斜視図である。
【図７】第１の実施形態に係るハブ孔周りの構造を示す部分拡大断面図である。
【図８】第２の実施形態に係る記録ディスクメディアの詳細を示す分解斜視図である。
【図９】第２の実施形態に係るハブ孔周りの構造を示す部分拡大断面図である。
【図１０】第３の実施形態に係るハブ孔周りの構造を示す部分拡大断面図である。
【図１１】第４の実施形態に係るハブ孔周りの構造を示す部分拡大断面図である。
【図１２】従来の記録ディスクカートリッジを示す斜視図であり、（ａ）は前方斜め上方からみた図、（ｂ）は後方斜め下方からみた図である。
【符号の説明】
【００８３】
１      記録ディスクカートリッジ
１０    カートリッジケース
１１    上シェル
１２    下シェル
２０    ロータリシャッタ
２１    上シャッタ
２２    下シャッタ
３０    記録ディスクメディア
３１    フレキシブルディスク（ディスク状記録媒体）
３２    ハブ
３２ａ  外周テーパ面
３３    両面粘着シート
３４    ディスク側ライナ（捕捉手段）
３４ａ  外周面
３５    捕捉器具（捕捉手段）
３６    粘着シート保持具（粘着材保持部材）
３６ａ  フランジ部（延出部）
３７    両面粘着シート（粘着材、捕捉手段）
３７ａ  外周面
４０    ハブ
４１    本体部
４２    第１延在部
４２ａ  テーパ部
４３    第２延在部
４４    金属プレート
４０’  ハブ
４５    本体部
４６    第１延在部
４７    第２延在部
６０    ライナ
６０ａ  内周面
８０    下シェル
８１    凹部
８２    ハブ孔
１２３  ハブ孔
１２３ａ  内周面
２２２  シャッタ側ハブ孔
２２２ａ  内周面
【図１】
2007164876.tif 000003
【図２】
2007164876.tif 000004
【図３】
2007164876.tif 000005
【図４】
2007164876.tif 000006
【図５】
2007164876.tif 000007
【図６】
2007164876.tif 000008
【図７】
2007164876.tif 000009
【図８】
2007164876.tif 000010
【図９】
2007164876.tif 000011
【図１０】
2007164876.tif 000012
【図１１】
2007164876.tif 000013
【図１２】
2007164876.tif 000014